(57)【要約】【課題】ノイズの抑制効果の大きく安価なモータ駆動システムを提供すると共に、内部機器からノイズの少ない安価な空気調和機を提供する。【解決手段】商用電源より入力された交流電力を直流電力に変換する整流回路と、直流電力を３相交流電力に変換するインバータ回路と、インバータ回路により駆動するモータと、アース接続端子を備え、整流回路とインバータ回路とモータを収納する筐体と、商用電源と前記インバータ回路との間に設けたコモンモードコイルと、筐体に接続したラインバイパスコンデンサと、筐体とアースとを接続するアース線とを備えたモータ駆動システムにおいて、アース線にフェライトコアを通す。【選択図】図１
2011083080.tif 000002
【特許請求の範囲】
【請求項１】
商用電源より入力された交流電力を直流電力に変換する整流回路と、
直流電力を３相交流電力に変換するインバータ回路と、
前記インバータ回路により駆動するモータと、
アース接続端子を備え、前記整流回路と前記インバータ回路と前記モータを収納する筐体と、
商用電源と前記インバータ回路との間に設けたコモンモードコイルと、
前記筐体に接続したラインバイパスコンデンサと、
前記筐体とアースとを接続するアース線とを備えたモータ駆動システムにおいて、
前記アース線にフェライトコアを通したことを特徴とするモータ駆動システム。
【請求項２】
前記請求項１に記載したモータ駆動システムにおいて、前記アース線にフェライトコアを３〜５ターン通した事を特徴とするモータ駆動システム。
【請求項３】
商用電源より入力された交流電力を直流電力に変換する整流回路と、
直流電力を３相交流電力に変換するインバータ回路と、
前記インバータ回路により駆動するモータと、
アース接続端子を備え、前記整流回路と前記インバータ回路と前記モータを収納する筐体と、
商用電源と前記インバータ回路との間に設けたコモンモードコイルと、
前記筐体に接続したラインバイパスコンデンサと、
前記筐体から絶縁距離をとってアースを接続したアース接続箇所と、
前記筐体とアース接続箇所とを接続する線とを備えたモータ駆動システムであって、
前記筐体とアース接続箇所とを接続する前記線にフェライトコアを通したことを特徴とするモータ駆動システム。
【請求項４】
前記請求項３に記載したモータ駆動システムにおいて、前記線にフェライトコアを３〜５ターン通した事を特徴とするモータ駆動システム。
【請求項５】
商用電源より入力された交流電力を直流電力に変換する整流回路と、
直流電力を３相交流電力に変換するインバータ回路と
前記インバータ回路により駆動するモータと、
アース接続端子を備え、前記整流回路と前記インバータ回路と前記モータを収納する筐体と、
商用電源と前記インバータ回路との間に設けたコモンモードコイルと、
前記筐体に接続したラインバイパスコンデンサと、
前記筐体から絶縁距離をとりアースを接続したアース接続箇所と、
前記筐体とアース接続箇所とを中継するアースラインをもつ中継基板と、
前記筐体とアース接続箇所とを接続する線とを備えたモータ駆動システムにおいて、
前記中継基板上のアースラインにインダクタを取り付けたことを特徴とするモータ駆動システム。
【請求項６】
室内機と室外機を備え、当該室内機と室外機との間を電気的接続してなる空気調和機において、上記請求項１〜５の何れか一に記載のモータ駆動システムを搭載したことを特徴とする空気調和機。
【発明の詳細な説明】
【技術分野】
【０００１】
本発明は、空気調和機に関し、特に、空気調和機からの流出ノイズを抑制するに好適なモータ駆動システムに関する。
【背景技術】
【０００２】
従来、空気調和機のインバータ回路等から流出するノイズを抑制する手段として、以下の特許文献１のノイズフィルタが提案されている。これは、通常、コモンモードコイルとＹコンと呼ばれるラインバイパスコンデンサと機能（回路）アースとを接続し、機能（回路）アースとアースを接続することでノイズフィルタを構成するが、Ｙコンと機能（回路）アースとの間に、更に、アースライン用コイルを設けることにより、ノイズ抑制の効果を上げるものである。
【０００３】
また、インバータ以外の一般の機器では、通常、コモンモードのノイズ抑制は、コモンモードのノイズフィルタのアースラインにはインダクタを挿入する事はないが、しかしインバータ等の電流容量が大きくノイズを多く放出する機器においては、ノイズフィルタからアースまでの間にインダクタを取り付けることによってノイズを減衰することにより、１００ｋＨｚから３ＭＨｚ程度までの高周波帯のノイズを低減している。
【先行技術文献】
【特許文献】
【０００４】
【特許文献１】特開２００５−２８７１５７号公報
【発明の概要】
【発明が解決しようとする課題】
【０００５】
しかしながら、家庭用空気調和機の場合、添付の図１６に示すように、アース２は熱交換器に代表される筐体アース９１に接続されており、アースライン用コイル５０は筐体アース９１に接続された後、アース２に接続されるため、直流ブラシレスモータ９７を搭載した圧縮機から浮遊容量９８を通して筐体アース９１に回り込むノイズに対しては十分な効果を発揮できないという問題があった。特に、インバータを用いた空気調和機の場合、電気用品安全法の雑音端子電圧の規制が始まる周波数である５２６．５ｋＨｚ以降の高い周波数のノイズが増大してしまう。かかる高い周波数のノイズが増大すると、ラジオや無線機にノイズが入りやすいという問題があった。
【０００６】
特に、近年においては、高層マンションが増えており、家庭用空気調和機から実際のアースへの接地点までのアース線の長さが、非常に長くなる場合がある。このことは、アースの機能の一つである感電防止の点からは、アース抵抗は低いことから、全く問題がない。しかしながら、アースのもう一方の機能であるノイズ低減という点からは、アース線が長くなると周波数が高い領域でのインピーダンスが大きくなり、無線で使用されるような周波数が高い領域でのノイズがアース線から放射され易くなるという問題があった。
【０００７】
これらの問題を対策するためには、例えば、空気調和機の電源ラインに設けているコモンモードコイルを大型化することや、電源ラインに大型のフェライトコアに数ターンさせる（フェライトコアに電源ラインを巻き回す）等を行わなければならず、空気調和機のノイズフィルタが高価になっていた。
【０００８】
そこで、本発明は、上述した従来技術における問題点を解消し、より具体的には、空気調和機において、筐体アースから回り込むノイズに対しても大きな効果を発揮し、かつ、安価に構成できる空気調和機とそのためのモータ駆動システムを提供することを目的とする。
【課題を解決するための手段】
【０００９】
上記目的を達成するため、本発明によれば、まず、商用電源より入力された交流電力を直流電力に変換する整流回路と、直流電力を３相交流電力に変換するインバータ回路と、前記インバータ回路により駆動するモータと、アース接続端子を備え、前記整流回路と前記インバータ回路と前記モータを収納する筐体と、商用電源と前記インバータ回路との間に設けたコモンモードコイルと、前記筐体に接続したラインバイパスコンデンサと、前記筐体とアースとを接続するアース線とを備えたモータ駆動システムにおいて、前記アース線にフェライトコアを通したモータ駆動システムが提供される。
【００１０】
また、本発明によれば、やはり上記目的を達成するため、商用電源より入力された交流電力を直流電力に変換する整流回路と、直流電力を３相交流電力に変換するインバータ回路と、前記インバータ回路により駆動するモータと、アース接続端子を備え、前記整流回路と前記インバータ回路と前記モータを収納する筐体と、商用電源と前記インバータ回路との間に設けたコモンモードコイルと、前記筐体に接続したラインバイパスコンデンサと、前記筐体から絶縁距離をとってアースを接続したアース接続箇所と、前記筐体とアース接続箇所とを接続する線とを備えたモータ駆動システムであって、前記筐体とアース接続箇所とを接続する前記線にフェライトコアを通したモータ駆動システムが提供される。
【００１１】
なお、本発明では、前記に記載したモータ駆動システムにおいて、前記アース線にフェライトコアを３〜５ターン通すことが好ましい。
【００１２】
更に、本発明によれば、やはり上記目的を達成するため、商用電源より入力された交流電力を直流電力に変換する整流回路と、直流電力を３相交流電力に変換するインバータ回路と
前記インバータ回路により駆動するモータと、アース接続端子を備え、前記整流回路と前記インバータ回路と前記モータを収納する筐体と、商用電源と前記インバータ回路との間に設けたコモンモードコイルと、前記筐体に接続したラインバイパスコンデンサと、前記筐体から絶縁距離をとりアースを接続したアース接続箇所と、前記筐体とアース接続箇所とを中継するアースラインをもつ中継基板と、前記筐体とアース接続箇所とを接続する線とを備えたモータ駆動システムにおいて、前記中継基板上のアースラインにインダクタを取り付けたモータ駆動システムが提供される。
【００１３】
そして、本発明によれば、上述したモータ駆動システムを採用した空気調和機として、室内機と室外機を備え、当該室内機と室外機との間を電気的接続してなる空気調和機において、上記に記載のモータ駆動システムを搭載した空気調和機が提供される。
【発明の効果】
【００１４】
上述した本発明になるモータ駆動システムによれば、筐体アースと機能（回路）アースを接続した後にフェライトコアをつけることができるので、筐体アースから回り込んだノイズに対しても大きなノイズ抑制効果が期待でき、小型のフェライトコアで効果がでるためその他の対策よりも安価に実現できる。
【００１５】
また、上述した本発明になるモータ駆動システムは、筐体アースとアースとを接続するアース線が電源プラグに内蔵されている場合のように、機器に固定されている場合、容易に実現できるが、機器とアースとを据付時に接続する場合、据付者がフェライトコアを挿入したアース線を誤って使用しなかったり、又は、フェライトコアの位置を変更してしまい、効果が期待できない可能性がある。上記の本発明では、このような場合をも鑑みたて達成されたものである。
【００１６】
加えて、上述した本発明になるモータ駆動システムによれば、筐体とアースとを接続する者が、モータ駆動システムを備えた機器の生産者と違う場合でも、筐体アースと機能（回路）アースを接続した後にフェライトコアあるいはインダクタを取り付けることができるため、筐体アースから回り込んだノイズに対しても大きな抑制効果が期待でき、小型のフェライトコアあるいはより小型のインダクタで効果がでるためその他の対策よりも安価に実現でき、更には、上述したモータ駆動システムを空気調和機に搭載することでより安価な空気調和機が実現できる。
【図面の簡単な説明】
【００１７】
【図１】本発明の実施例１になる空気調和機のためのモータ駆動システムを示すためのブロック図である。
【図２】上記実施例１のモータ駆動システムを内蔵した空気調和機（室内機）の電源コードの接続部分の詳細を示す一部拡大詳細図である。
【図３】本発明の実施例２になる空気調和機のためのモータ駆動システムを示すためのブロック図である。
【図４】上記実施例２のモータ駆動システムを内蔵した空気調和機（室外機）の電源コードの接続部分の詳細を示す一部拡大斜視図である。
【図５】本発明の実施例３になるフェライトコアの外観図を示す拡大斜視図である。
【図６】本発明のフェライトコアのインピーダンス周波数特性を示す図である。
【図７】本発明の実施例４になるフェライトコアの外観図を示す拡大斜視図である。
【図８】本発明の実施例５になる空気調和機のためのモータ駆動システムを示すためのブロック図である。
【図９】上記実施例５のモータ駆動システムを内蔵した空気調和機（室内機）の電源コードの接続部分の詳細を示す一部拡大詳細図である。
【図１０】本発明の実施例６になる空気調和機のためのモータ駆動システムを示すためのブロック図である。
【図１１】上記実施例６のモータ駆動システムを内蔵した空気調和機（室外機）の電源コードの接続部分の詳細を示す斜視図である。
【図１２】本発明の実施例７になる空気調和機のためのモータ駆動システムを示すためのブロック図である。
【図１３】上記実施例７のモータ駆動システムを内蔵した空気調和機（室内機）の電源コードの接続部分の詳細を示す一部拡大詳細図である。
【図１４】本発明の実施例８になる空気調和機のためのモータ駆動システムを示すためのブロック図である。
【図１５】上記実施例８のモータ駆動システムを内蔵した空気調和機（室外機）の電源コードの接続部分の詳細を示す斜視図である。
【図１６】従来技術のモータ駆動システムの一例を示すブロック図である。
【発明を実施するための形態】
【００１８】
以下、本発明の実施の形態になるモータ駆動システムと、当該モータ駆動システムを内蔵した空気調和機について、添付の図面を参照しながら以下に詳細に説明する。
【実施例１】
【００１９】
まず、図１は、本発明の実施例１であるモータ駆動システムを示すブロック図であり、図２は、かかるモータ駆動システムを内蔵した空気調和機の室内機の外観、特に、その電源コードの接続部分の詳細を示す一部拡大詳細図である。
【００２０】
図１において、１は商用電源、２はアース、３はコンセント、４は電源コード、５はフェライトコア、６は空気調和機の室内機、９は空気調和機の室外機を、それぞれ、示している。商用電源１とアース２は、屋内配線によりコンセント３まで接続されており、当該コンセント３に室内機６から電源コード４を接続することにより、電源が供給されている。電源コードは、特に、２００Ｖの機種においては、図示のように、３本の線からなり、電源線と共に、アース線４１を備えている。このアース線４１は、室内機内で室内機６の筐体アース６１と接続されている。室内機６は、内外接続線７を介して室外機９に電源を供給する。また、室内機６は、配管８を通して室外機９と冷媒を循環させている。室外機９の筐体アース９１は、配管８により、室内機６の筐体アース６１と電気的に接続されている。内外接続線７より電源が供給された室外機は、コモンモードチョークコイル９２とＹコンと呼ばれるラインバイパスコンデンサ９３とでノイズフィルタを構成し、当該ラインバイパスコンデンサ９３を筐体アース９１に接続することでノイズフィルタを構成している。即ち、このノイズフィルタにより、コモンモードノイズを低減させる。なお、このノイズフィルタを通った後の交流電圧は、整流回路９４及び平滑コンデンサ９５で整流され、更に、インバータ回路９６を介して、直流ブラシレスモータ９７を搭載した圧縮機を駆動している。
【００２１】
インバータ回路９６及び直流ブラシレスモータ９７内で発生したノイズは、浮遊容量９８を通して筐体アース９１に流れてコモンモードノイズとなり、配管８、室内機の筐体アース６１、電源コード４内のアース線４１を通って電源のアース２に戻ろうとする。そこで、このノイズを減衰させるため、本実施例１では、フェライトコア５に電源コード内のアース線４１を通す。この時、フェライトコアの位置は、筐体アース６１の近傍にあることが望ましい。
【００２２】
なお、上述した従来のノイズ対策法である、電源ラインにフェライトコアに数ターンさせる（電源ラインをフェライトコアに巻き回す）場合には、電源ラインの電線は太く、かつ、少なくとも２本の線となるため、大型のコイルが必要となる。しかしながら、本実施例１では、フェライトコアを１本のアース線に付ければよく、また、このアース線は、通常、電源ラインより線径が細い為、フェライトコアの小型化が可能となる。
【００２３】
また、従来のノイズ対策であるコモンモードチョークコイル９２を大型化する場合や、電源ラインにフェライトコアを数ターンさせる場合は、インバータ回路９６で発生したノイズは筐体アースを通してアース２に戻ろうとするので、その効果が低く、また、コモンモードチョークコイルや電源ラインに巻き付けるフェライトコアの大型化、もしくは、フェライトコアへのターン数の増加が必要となる。しかしながら、上述した本実施例１では、アースに流れ出ようとするノイズ成分をフェライトコア５により抑制するので、非常に効果が大きく、かつ、本実施例１は、従来の対策に比べて、非常に安価にノイズフィルタを実現できる。
【００２４】
以上の実施例１の説明では、電源コードにアース線が内蔵されている場合について説明したが、しかしながらこれに限定されることなく、本実施例は、その他、例えば、１００Ｖ機器のように、電源コードにアース線が内蔵されておらず、室内筐体アース６１からコンセント３のアースまで電源コードとは別のアース線を使用する場合でも適用できる。また、アース２がコンセント３まで配線されておらず、筐体アース６１とアース２をアース線２１で接続する場合にも適用できる。
【実施例２】
【００２５】
次に、本発明の実施例２について説明する。なお、実施例１では、室内でアースを取る場合について説明したが、この実施例２では、室外（室外機）でアースを取る場合について説明する。
【００２６】
図３は、本発明の実施例２であるモータ駆動システムのブロック図を、図４は、かかるモータ駆動システムを内蔵した空気調和機の室外機の外観、特に、その電源コードの接続部分の詳細を示す一部拡大斜視図である。なお、図３において上記図１と異なる点は、電源コード４にはアース線４１が内蔵されておらず、室外機９の筐体アース９１からアース線２１を使用してアース２に接続しており、そして、当該アース線２１をフェライトコア５に通している点である。この場合にも、上記の実施例１と同様の効果が得られることは明らかであろう。また、この時、フェライトコアの位置は、筐体アース９１の近傍であることが望ましい。
【００２７】
ここで、上記実施例１と同様、当該実施例２で使用されるフェライトコアは５００ｋＨｚ以上の高周波帯の信号（ノイズ）に対してインピーダンスが高い、例えば、マンガン系フェライトコアが望ましい。
【実施例３】
【００２８】
次に、本発明の実施例３について説明する。この実施例３は、上述したフェライトコアの効果が小さい場合に、当該フェライトコア５にアース線２１を巻きつける回数を増やしてノイズ抑制効果を高めるものである。図５は、本実施例３になるフェライトコアの外観図を示す。
【００２９】
なお、このフェライトコア５は、その挿入する位置は上記図１の位置と変わりないが、しかし、当該フェライトコア５にアース線２１を巻きつける回数を、３〜５ターンとしている。
【００３０】
空気調和機において、電源ラインにフェライトコアを取り付ける時には、室内機側や室外機側等、どの位置にフェライトコアを取り付けるかで、ノイズの抑制効果が変化してしまう。最もノイズ抑制効果が高いのは、コンセント部の電源コード４にノイズフィルタを形成することであるが、しかしならが、室内機に大きなコアを取り付ける事は、室内機の小型化にとっては不利であり、コストアップにもつながる。
【００３１】
一方、アース線にフェライトコアをつける事は、電源コードにフェライトコアを取り付ける事と回路的には等価である。そのため、アース線にフェライトコアを取り付けることでフェライトコアの大きさを小型化しつつ、ノイズ低減を図る事が可能となる。
【００３２】
ここで、添付の図６には、大きさの異なるフェライトコアにより得られる、異なるターン数毎のインピーダンスを示す。なお、この図６のグラフでは、横軸に周波数を、縦軸にはインピーダンスを示しており、材料ＡおよびＢの、２種類のフェライトコアの特性を示している。また、それぞれのフェライトコアにアース線を巻き付けるターン数を、材料Ａでは、１〜３ターン、材料Ｂでは１〜２ターン変化させた時の特性も示す。
【００３３】
なお、フェライトコアＡの寸法は内径１５．８ｍｍ、外径１１．８ｍｍ、厚さ８．４ｍｍであり、そして、フェライトコアＢの寸法は、内径２５ｍｍ、外径１５ｍｍ、厚さ１２ｍｍである。
【００３４】
フェライトコアＢは、一般に、電源ラインに対して１〜２ターンさせて、空気調和機に使用されているものである。空気調和機において、電源ラインは大きな電流が流れるため、その線径が太く、電源ラインは、その線数が、室内機と室外機の基板との通信線を含めると３本以上となるため、フェライトコアＢの寸法では２ターンするのが構造的に限界となる。それに対して、上述したアース線は線径が細く、かつ、線自体も、単独で、ただ１本となるため、比較的小さいフェライトコアでも、ターン数を５ターン程度まで巻くことができる。
【００３５】
また、フェライトコアの寸法がＡよりＢの方が大きいため、同じターン数ではインピーダンスがＢの方が大きくなるが、例えば、フェライトコアＡに３ターン巻いた場合と、フェライトコアＢに２ターン巻いた場合に得られるインピーダンスを比較すると、フェライトコアＡの方が大きくなるので、ターン数を増やすことで小さな大きさのコアでも十分なインピーダンスを得ることができる。
【００３６】
以上のように、フェライトコアＢに電源ラインを２ターン巻くのと同等の効果を、フェライトコアＡにアースに３ターン巻く事で得ることができ、フェライトコアの小型化とノイズ低減の両立ができるようになる。
【００３７】
なお、上記実施例３では、電源コードにアース線が内蔵されている場合について説明したが、しかしながら、１００Ｖ機器のように、電源コードにはアース線が内蔵されておらず、室内筐体アース６１からコンセント３のアースまで、電源コードとは別のアース線を使用する場合にも、上記の実施例を適用することができる。また、アース２がコンセント３まで配線しておらず、筐体アース６１とアース２をアース線２１で接続する場合にも適用できる。
【実施例４】
【００３８】
次に、本発明の実施例４について説明する。上記の実施例３では、室内でアースを取る場合について説明したが、しかしながら、この実施例４では、室外でアースを取る場合について説明する。図７は、本実施例４になるフェライトコアの外観図を示す。
【００３９】
なお、このフェライトコア５は、その挿入する位置は、上記図３と変わりないが、しかし、当該フェライトコアにアース線を巻きつける回数を３〜５ターンとしている。この場合にも、上記実施例３と同等の効果が得られることは明らかであろう。
【実施例５】
【００４０】
次に、本発明の実施例５について説明する。図８は、本発明の実施例５になるモータ駆動システムのブロック図であり、そして、図９は、当該モータ駆動システムを内蔵した空気調和機の室内機の外観、特に、その電源コードの接続部分の詳細を示す一部拡大詳細図である。
【００４１】
この図８に示すモータ駆動システムが、上記図１と異なるのは、筐体アース６１から十分な絶縁距離をとったアース接続箇所１０ａとアース線２１を接続し、線１１ａにより筐体アース６１とアース接続箇所１０ａを接続し、線１１ａにフェライトコア５を挿入している点である。なお、この実施例４によっても、上記実施例１、３と同等の効果が得られることは明らかであろう。そして、この実施例４では、フェライトコア５の位置のばらつきもなく、モータ駆動システムを実現できることとなる。
【実施例６】
【００４２】
次に、本発明の実施例６について説明する。図１０は、本実施例６のモータ駆動システムを示すブロックであり、図１１は、当該モータ駆動システムを内蔵した空気調和機の室外機の外観、特に、その電源コードの接続部分の詳細を示す詳細図である。
【００４３】
図１０に示すモータ駆動システムが、上記図２と異なるのは、筐体アース９１から十分な絶縁距離をとったアース接続箇所１０ｂとアース線２１を接続し、線１１ｂにより筐体アース９１とアース接続箇所１０ｂを接続し、線１１ｂにフェライトコア５を挿入した点である。なお、これによっても、上記実施例２、４と同等の効果が得られることは明らかであろう。そして、これによれば、フェライトコア５の位置のばらつきもなく、モータ駆動システムを実現できる。
【実施例７】
【００４４】
次に、本発明の実施例７について説明する。図１２は、本実施例７のモータ駆動システムを示すブロックであり、図１３は、当該モータ駆動システムを内蔵した空気調和機の室内機の外観、特に、その電源コードの接続部分の詳細を示す一部拡大詳細図である。
【００４５】
図１２に示すモータ駆動システムが、上記図８と異なるのは、上述したフェライトコアに代えて、基板上に搭載されたインダクタ１３ｃを採用した点であり、より詳細には、筐体アース６１から十分な絶縁距離をとったアース接続箇所１０ｃとアース線２１を接続し、中継基板１２ｃにより筐体アース６１とアース接続箇所１０ｃを接続し、中継基板１２ｃにインダクタ１３ｃを挿入した点である。これにより、本実施例７によっても、上記実施例１、３、５と同等の効果が得られることは明らかであり、この実施例７によれば、更に、フェライトコアよりも安価なインダクタ１３ｃをつけたモータ駆動システムを実現できる。
【実施例８】
【００４６】
最後に、本発明の実施例８について説明する。図１４は、本発明の実施例８になるモータ駆動システムを示すブロックであり、図１５は、当該モータ駆動システムを内蔵した空気調和機の室内機の外観、特に、その電源コードの接続部分の詳細を示す詳細斜視図である。
【００４７】
図１４に示すモータ駆動システムが、上記図１０と異なるのは、上述したフェライトコアに代えて、基板上に搭載されたインダクタ１３ｃを採用した点であり、より詳細には、筐体アース９１から十分な絶縁距離をとったアース接続箇所１０ｄとアース線２１を接続し、中継基板１２ｄにより筐体アース９１とアース接続箇所１０ｄを接続し、中継基板１２ｄにインダクタ１３ｄを挿入した点である。これにより、本実施例８でも、上記実施例２、４、６と同等の効果が得られると共に、フェライトコアよりも安価なインダクタ１３ｄでモータ駆動システムを実現できる。
【００４８】
なお、特に、上述した実施例７及び８では、アース接続箇所と中継基板を別体として説明したが、アース接続箇所と中継基板を１体として例えば、中継基板の中にアース接続箇所を設けてもよい。
【００４９】
上記に詳述したように、本発明になるモータ駆動システムによれば、筐体とアースとを接続する作業者（空気調和機の取付業者）が、モータ駆動システムを備えた機器の生産者と違う場合でも、筐体アースと機能（回路）アースを接続した後に、上述したフェライトコア、又は、インダクタを取り付けることができるため、筐体アースから回り込んだノイズに対しても大きな抑制効果が期待でき、そして、小型のフェライトコア、又は、より小型のインダクタによっても十分な効果が得られることから、その他の従来の対策よりも安価に実現できることとなる。また、本発明は空気調和機だけでなく、ノイズフィルタを用いた電子機器に広く応用できる。
【符号の説明】
【００５０】
１;商用電源、２；アース、３；コンセント、４；電源コード、５；フェライトコア、６；室内機、７；内外接続線、８；配管、９；室外機、１０ａ；アース接続箇所、１０ｂ；アース接続箇所、１０ｃ；アース接続箇所、１０ｄ；アース接続箇所、１１ａ；筐体アース-アース接続端子間接続線、１１ｂ；筐体アース-アース接続端子間接続線、１２ｃ；中継基板、１２ｄ；中継基板、１３ｃ；インダクタ、１３ｄ；インダクタ、２１；アース線、４１；電源コード内アース線、6１；室内機筐体アース、９１；室外機筐体アース、９２；コモンモードチョークコイル、９３；ラインバイパスコンデンサ、９４；整流回路、９５；平滑コンデンサ、９６；インバータ回路、９７；直流ブラシレスモータ、９８；モータ浮遊容量。
【図１】
2011083080.tif 000003
【図２】
2011083080.tif 000004
【図３】
2011083080.tif 000005
【図４】
2011083080.tif 000006
【図５】
2011083080.tif 000007
【図６】
2011083080.tif 000008
【図７】
2011083080.tif 000009
【図８】
2011083080.tif 000010
【図９】
2011083080.tif 000011
【図１０】
2011083080.tif 000012
【図１１】
2011083080.tif 000013
【図１２】
2011083080.tif 000014
【図１３】
2011083080.tif 000015
【図１４】
2011083080.tif 000016
【図１５】
2011083080.tif 000017
【図１６】
2011083080.tif 000018